(57)【特許請求の範囲】
【請求項１】
電波を送信する複数の通信装置と、
前記複数の通信装置から電波を受信し、受信された電波に基づいて電力を生成する電力生成装置と
を備えた無線通信システムにおいて、
前記複数の通信装置の各通信装置は、
信号生成を指示する通信側制御回路と、
前記通信側制御回路から前記信号生成の指示を受けて少なくとも１種類の周波数の信号を生成する通信側発振回路と、
前記通信側発振回路により生成された前記信号を増幅する通信側増幅回路と、
前記通信側増幅回路により増幅された前記信号を電波として送信する通信側アンテナと
を有すると共に、
前記各通信側発振回路は、
他の前記通信側発振回路の生成する信号の周波数と異なる少なくとも１種類の予め設定された周波数の信号を生成し、
前記電力生成装置は、
前記複数の通信装置の送信した電波が合成された合成波を受信する生成側アンテナと、
前記生成側アンテナにより受信された前記合成波に基づいて整流により直流電力を生成し、生成された前記直流電力を蓄電する生成側電源回路と、
前記生成側電源回路により蓄電された前記直流電力を動作電源として動作する少なくとも一つの所定の生成側回路と
を有することを特徴とする無線通信システム。
【請求項２】
前記複数の通信装置は、
前記通信側発振回路により生成された予め設定された周波数の第１の信号に基づく第１電波を前記通信側アンテナから送信する第１通信装置と、
前記第１電波のもととなる信号と異なる予め設定された周波数の信号であって前記通信側発振回路により生成された第２の信号に基づく第２電波を前記通信側アンテナから送信する第２通信装置と
の２台の通信装置から構成されることを特徴とする請求項１記載の無線通信システム。
【請求項３】
電波を送信する１台の通信装置と、
前記通信装置から電波を受信し、受信された電波に基づいて電力を生成する電力生成装置と
を備えた無線通信システムにおいて、
前記通信装置は、
信号生成を指示する通信側制御回路と、
前記通信側制御回路から前記信号生成の指示を受けて予め設定された互いに異なる周波数の複数の信号を生成する通信側発振回路と、
前記通信側発振回路により生成された周波数の異なる前記複数の信号を増幅する通信側増幅回路と、
前記通信側増幅回路により増幅された周波数の異なる前記複数の信号を前記周波数ごとのそれぞれの電波として送信する通信側アンテナと
を有し、
前記電力生成装置は、
前記通信装置の送信した電波が合成された合成波を受信する生成側アンテナと、
前記生成側アンテナにより受信された前記合成波に基づいて整流により直流電力を生成し、生成された前記直流電力を蓄電する生成側電源回路と、
前記生成側電源回路により蓄電された前記直流電力を動作電源として動作する少なくとも一つの所定の生成側回路と
を有することを特徴とする無線通信システム。
【請求項４】
前記通信側発振回路は、
予め設定された周波数の第１の信号と、前記第１の信号と異なる予め設定された周波数の第２の信号とを生成し、
前記通信側増幅回路は、
前記通信側発振回路により生成された前記第１の信号と前記第２の信号とを増幅し、
前記通信側アンテナは、
前記通信側増幅回路により増幅された前記第１の信号を第１電波として送信すると共に、前記通信側増幅回路により増幅された前記第２の信号を第２電波として送信し、
前記生成側アンテナは、
前記第１電波と前記第２電波とが合成された合成波を受信することを特徴とする請求項３記載の無線通信システム。
【請求項５】
受信した電波を使用して電力を生成する電力生成装置において、
電波を送信する通信装置から送信された周波数の異なる複数の電波が合成された合成波を受信する生成側アンテナと、
前記生成側アンテナにより受信された前記合成波に基づいて整流により直流電力を生成し、生成された前記直流電力を蓄電する生成側電源回路と、
前記生成側電源回路により蓄電された前記直流電力を動作電源として動作する少なくとも一つの所定の生成側回路と
を備えたことを特徴とする電力生成装置。
【請求項６】
前記生成側アンテナは、
それぞれが予め設定された互いに異なる周波数の電波を送信する複数の通信装置のそれぞれから送信された電波が合成された合成波を受信することを特徴とする請求項５記載の電力生成装置。
【請求項７】
前記生成側アンテナは、
予め設定された周波数の第１電波を送信する第１通信装置と、第１電波と異なる予め設定された周波数の第２電波を送信する第２通信装置とから送信された第１電波と第２電波とが合成された合成波を受信することを特徴とする請求項６記載の電力生成装置。
【請求項８】
前記生成側アンテナは、
予め設定された互いに異なる周波数の複数の電波を送信する１台の通信装置から送信された複数の電波が合成された合成波を受信することを特徴とする請求項５記載の電力生成装置。
【請求項９】
前記生成側アンテナは、
予め設定された周波数の第１電波と、第１電波と異なる予め設定された周波数の第２電波とを送信する１台の通信装置から送信された第１電波と第２電波とが合成された合成波を受信することを特徴とする請求項８記載の電力生成装置。
【請求項１０】
前記電力生成装置は、さらに、
前記所定の生成側回路として、所定のデータに対応する変調波形により前記生成側アンテナから受信した合成波を変調して前記生成側アンテナから送信する変調回路を含むことを特徴とする請求項５記載の電力生成装置。
【請求項１１】
前記電力生成装置は、さらに、
前記所定のデータを記憶するデータ記憶部を備え、
前記変調回路は、
前記データ記憶部が記憶する前記所定のデータに対応する変調波形により、前記生成側アンテナから受信した合成波を変調して前記生成側アンテナから送信することを特徴とする請求項１０記載の電力生成装置。
【請求項１２】
電波を送信する通信装置において、
互いに周波数の異なる複数の電波が合成された合成波を受信することにより前記合成波に基づいて電力を生成する電力生成装置に受信させる前記合成波を形成する前記複数の電波のもととなる複数の信号の生成を指示する通信側制御回路と、
前記通信側制御回路から前記信号生成の指示を受けて予め設定された互いに異なる周波数の複数の信号を生成する通信側発振回路と、
前記通信側発振回路により生成された周波数の異なる前記複数の信号を増幅する通信側増幅回路と、
前記通信側増幅回路により増幅された周波数の異なる前記複数の信号を前記合成波を形成する前記複数の電波として送信する通信側アンテナと
を備えた通信装置。
【請求項１３】
前記通信側発振回路は、
前記電力生成装置に受信させる前記合成波を形成する前記複数の電波のもととなる予め設定された周波数の第１の信号と、前記第１の信号と異なる周波数の第２の信号とを生成し、
前記通信側増幅回路は、
前記通信側発振回路により生成された前記第１の信号と、前記第２の信号とを増幅し、
前記通信側アンテナは、
前記通信側増幅回路により増幅された前記第１の信号を第１電波として、前記第２の信号を第２電波として、前記合成波を形成する前記複数の電波として送信することを特徴とする請求項１２記載の通信装置。
【請求項１４】
電波を送信する複数の通信装置と、
前記複数の通信装置から電波を受信し、受信された電波に基づいて電力を生成する電力生成装置と
を備えた無線通信システムにおいて、
前記複数の通信装置の各通信装置は、
信号生成を指示する通信側制御回路と、
前記通信側制御回路から前記信号生成の指示を受けて少なくとも１種類の予め設定された周波数の信号を生成する通信側発振回路と、
前記通信側発振回路により生成された前記信号を増幅する通信側増幅回路と、
前記通信側増幅回路により増幅された前記信号を電波として送信する通信側アンテナと
を有し、
前記電力生成装置は、
前記複数の通信装置の送信した電波が合成された合成波を受信する生成側アンテナと、
前記生成側アンテナにより受信された前記合成波に基づいて整流により直流電力を生成し、生成された前記直流電力を蓄電する生成側電源回路と、
前記生成側電源回路により蓄電された前記直流電力を動作電源として動作する少なくとも一つの所定の生成側回路と
を有すると共に、
前記複数の通信装置の各通信側制御回路は、
他の通信装置の前記通信側制御回路との間で互いに同期をとることにより、所定の通信装置以外のすべての通信装置の電波の送信を停止し、
前記所定の通信装置では、
前記通信側制御回路が、
所定のデータに対応する変調波形により、前記通信側発振回路により生成された信号を前記通信側発振回路に変調させ、
前記通信側増幅回路が、
前記通信側発振回路により変調された変調信号を増幅し、
前記通信側アンテナが、
前記通信側増幅回路により増幅された変調信号を電波として送信し、
前記電力生成装置の前記生成側アンテナは、
前記増幅された変調信号を受信し、
前記電力生成装置は、
前記所定の生成側回路として、前記生成側アンテナにより受信された前記電波を復調する生成側復調回路を含むことを特徴とする無線通信システム。
【請求項１５】
電波を送信する複数の通信装置と、
前記複数の通信装置から電波を受信し、受信された電波に基づいて電力を生成する電力生成装置と
を備えた無線通信システムにおいて、
前記複数の通信装置の各通信装置は、
信号生成を指示する通信側制御回路と、
前記通信側制御回路から前記信号生成の指示を受けて少なくとも１種類の予め設定された周波数の信号を生成する通信側発振回路と、
前記通信側発振回路により生成された前記信号を増幅する通信側増幅回路と、
前記通信側増幅回路により増幅された前記信号を電波として送信する通信側アンテナと
を有すると共に、
それぞれの前記通信側制御回路は、
他の各通信装置の前記通信側制御回路との間で互いに同期をとることにより、前記通信側発振回路に生成させた信号を前記通信側発振回路に同一の変調波形により変調させ、
各通信側増幅回路は、
前記通信側発振回路により変調された信号を増幅し、
各通信側アンテナは、
前記通信側増幅回路により増幅された変調信号を電波として送信し、
前記電力生成装置は、
前記複数の通信装置の送信した電波が合成された合成波を受信する生成側アンテナと、
前記生成側アンテナにより受信された前記合成波に基づいて整流により直流電力を生成し、生成された前記直流電力を蓄電する生成側電源回路と、
前記生成側電源回路により蓄電された前記直流電力を動作電源として動作する少なくとも一つの所定の生成側回路と
を有することを特徴とする無線通信システム。
【請求項１６】
前記電力生成装置は、
前記所定の生成側回路として、前記生成側アンテナにより受信された前記合成波を復調する生成側復調回路を含むことを特徴とする請求項１５記載の無線通信システム。
【請求項１７】
前記各通信装置の前記通信側発振回路は、
他の通信装置の送信する電波と異なる予め設定された周波数の信号を生成することを特徴とする請求項１４〜１６のいずれかに記載の無線通信システム。
【請求項１８】
電波を送信する通信装置と、
前記通信装置から電波を受信し、受信された電波に基づいて電力を生成する電力生成装置と
を備えた無線通信システムにおいて、
前記通信装置は、
信号生成を指示する通信側制御回路と、
前記通信側制御回路から前記信号生成の指示を受けて複数の信号を生成する通信側発振回路と、
前記通信側発振回路により生成された前記複数の信号を増幅する通信側増幅回路と、
前記通信側増幅回路により増幅された前記複数の信号を電波として送信するアンテナと
を有すると共に、
前記通信側制御回路は、
同期をとることにより、前記通信側発振回路に生成させた前記複数の信号を前記通信側発振回路に同一の変調波形で変調させ、
前記通信側増幅回路は、
前記通信側発振回路により変調された前記複数の変調信号を増幅し、
前記通信側アンテナは、
増幅された前記複数の変調信号を電波として送信し、
前記電力生成装置は、
前記通信装置の送信した電波が合成された合成波を受信する生成側アンテナと、
前記生成側アンテナにより受信された前記合成波に基づいて整流により直流電力を生成し、生成された前記直流電力を蓄電する生成側電源回路と、
前記生成側電源回路により蓄電された前記直流電力を動作電源として動作する少なくとも一つの所定の生成側回路と
を有することを特徴とする無線通信システム。
【請求項１９】
前記電力生成装置は、さらに、
前記所定の生成側回路として、前記生成側アンテナにより受信された前記合成波を復調する生成側復調回路
を含むことを特徴とする請求項１８記載の無線通信システム。
【請求項２０】
前記通信側発振回路は、
前記複数の信号として、予め設定された互いに異なる周波数の複数の信号を生成することを特徴とする請求項１８又は請求項１９のいずれかに記載の無線通信システム。
【発明の詳細な説明】
【技術分野】
【０００１】
本発明は、電波を送信する質問器と、質問器の送信した電波を受信し、受信した電波をもとに動作電力を生成する応答器とから構成される無線通信システムに関する。
【背景技術】
【０００２】
従来の無線データ通信システムでは、単一の質問器から単一の搬送波を送信し、応答器に電力を供給していた（例えば、特開平４−１４７０８２号公報：第３頁〜４頁、第１図）。応答器では、アンテナで受信した上記質問器からの単一の搬送波を整流することにより、内部回路動作に必要な直流の電力を得ていた。また、応答器は、送信すべきデータをもとに、アンテナのインピーダンスを制御して反射による変調を行い、データを送信する。応答器で変調された搬送波は、質問器が受信、復調する。これにより、質問器は、応答器が送信したデータを抽出する。例えば、応答器からデータとして応答器の識別子（ＩＤ：ＩＤｅｎｔｉｆｉｃａｔｉｏｎ）を送信することにより、無線ＩＤシステムを構築することができる。
【特許文献１】特開平４−１４７０８２号公報
【発明の開示】
【発明が解決しようとする課題】
【０００３】
従来の無線データ通信システムでは、応答器への電力供給に単一の搬送波を使っていた。このため、同一周波数による搬送波の送信出力に上限がある場合、質問器と応答器の間の距離を十分離すことができないという問題点があった。【０００４】
また、質問器が長距離通信に必要な大出力の搬送波を送信するためには、質問器内の増幅器を高出力にする必要がある。従って、質問器の価格が高くなるという問題もあった。これらにより、従来は無線データ通信システムの用途が限定されていた。【０００５】
この発明は、質問器と応答器との間で長距離通信できる無線データ通信システムの実現を目的とする。
【課題を解決するための手段】
【０００６】
本発明の無線通信システムは、
それぞれが少なくとも１種類の周波数の電波を送信する複数の通信装置と、
前記複数の通信装置の送信した電波が合成された合成波を受信し、受信した合成波に基づいて電力を生成する電力生成装置と
を備えたことを特徴とする。【０００７】
前記複数の通信装置のそれぞれは、
他の通信装置の送信する電波と異なる周波数の電波を送信することを特徴とする。【０００８】
前記複数の通信装置は、
所定の周波数の第１電波を送信する第１通信装置と、第１電波と異なる周波数の第２電波を送信する第２通信装置と
から構成されることを特徴とする。【０００９】
本発明の無線通信システムは、
複数の電波を送信する通信装置と、
前記通信装置の送信した複数の電波が合成された合成波を受信し、受信した合成波に基づいて電力を生成する電力生成装置と
を備えたことを特徴とする。【００１０】
前記通信装置は、
周波数の異なる複数の電波を送信することを特徴とする。【００１１】
前記通信装置は、
所定の周波数の第１電波と、第１電波と異なる周波数の第２電波とを送信することを特徴とする。【００１２】
本発明の電力生成装置は、
受信した電波を使用して電力を生成する電力生成装置において、
複数の電波が合成された合成波を受信し、受信した合成波に基づいて電力を生成することを特徴とする。【００１３】
前記電力生成装置は、
周波数の異なる複数の電波が合成された合成波を受信することを特徴とする。【００１４】
前記電力生成装置は、
それぞれが周波数の異なる電波を送信する複数の通信装置のそれぞれから電波を送信され、複数の通信装置のそれぞれから送信された電波が合成された合成波を受信することを特徴とする。【００１５】
前記電力生成装置は、
所定の周波数の第１電波を送信する第１通信装置と、第１電波と異なる周波数の第２電波を送信する第２通信装置とから第１電波と第２電波とを送信され、送信された第１電波と第２電波とが合成された合成波を受信することを特徴とする。【００１６】
前記電力生成装置は、
周波数の異なる複数の電波を送信する通信装置から周波数の異なる複数の電波を送信され、送信された複数の電波が合成された合成波を受信することを特徴とする。【００１７】
前記電力生成装置は、
所定の周波数の第１電波と、第１電波と異なる周波数の第２電波とを送信する通信装置から第１電波と第２電波とを送信され、送信された第１電波と第２電波とが合成された合成波を受信することを特徴とする。【００１８】
前記電力生成装置は、
生成した電力に基づいて、所定のデータに対応する変調波形により、受信した合成波を変調して送信する変調部を備えたことを特徴とする。
【００１９】
前記電力生成装置は、さらに、
所定のデータを記憶するデータ記憶部を備え、
前記変調部は、
生成した電力に基づいて、前記データ記憶部が記憶する所定のデータに対応する変調波形により、受信した合成波を変調して送信することを特徴とする。
【００２０】
本発明の通信装置は、
受信した電波を使用して電力を生成する電力生成装置に電波を送信する通信装置において、
前記電力生成装置に複数の電波を送信することにより、送信した複数の電波が合成された合成波を前記電力生成装置に受信させ、受信させた合成波に基づいて、前記電力生成装置に電力を生成させることを特徴とする。【００２１】
前記通信装置は、
前記電力生成装置に送信する複数の電波として、互いに周波数の異なる電波を送信することを特徴とする。【００２２】
前記通信装置は、
前記電力生成装置に送信する複数の電波として、所定の周波数の第１電波と、第１電波と異なる周波数の第２電波とを送信することを特徴とする。【００２３】
前記複数の通信装置は、
互いに同期をとることにより所定の通信装置以外の通信装置が電波の送信を停止するとともに、所定の通信装置が所定のデータに対応する変調波形により自己の送信する電波を変調して前記電力生成装置に送信し、
前記電力生成装置は、
生成した電力に基づいて、前記所定の通信装置が送信した変調された電波を受信し復調することを特徴とする。【００２４】
前記複数の通信装置のそれぞれは、
互いに同期して同一の変調波形により自己の送信する電波を変調して前記電力生成装置に送信し、
前記電力生成装置は、
前記複数の通信装置のそれぞれが送信した変調された電波が合成された合成波を受信することを特徴とする。【００２５】
前記電力生成装置は、
生成した電力に基づいて、受信した合成波を復調することを特徴とする。【００２６】
前記通信装置は、
同一の変調波形により自己の送信する複数の電波を同期して変調し、同期して変調した電波を前記電力生成装置に送信し、
前記電力生成装置は、
前記通信装置が送信した複数の変調された電波が合成された合成波を受信することを特徴とする。【００２７】
前記電力生成装置は、
生成した電力に基づいて、受信した合成波を復調することを特徴とする。【００２８】
本発明の電力生成方法は、
受信した電波を使用して電力を生成する電力生成方法において、
複数の電波が合成された合成波を受信し、受信した合成波に基づいて電力を生成することを特徴とする。
【発明の効果】
【００２９】
本発明により、応答器は最大振幅の増大した合成波を受信するので、この受信した合成波を整流して得られる直流電力を増大させることができる。従って、応答器と質問器の通信距離を増大させることができる。
【発明を実施するための最良の形態】
【００３０】
実施の形態１．
図１〜図６を用いて実施の形態１を説明する。実施の形態１は、質問器であるリーダ装置１１０が周波数の異なる搬送波１３０、１３１を送信し、応答器であるタグ１２０が搬送波１３０、１３１の合成波を受信して動作電力を生成する実施形態である。なお、以下の実施の形態１〜実施の形態８では、機能の同様な構成要素には同じ符号を付し、説明は省略する場合がある。【００３１】
図１は、実施の形態１における無線通信システム１０００の構成図を示す。図に示すように、無線通信システム１０００は、ホストコンピュータ１００（以下ホストという）、質問器としてのリーダ装置１１０（通信装置の一例）、応答器としてのタグ１２０（電力生成装置の一例）で構成される。図１では、タグ１２０は１台のみを示しているが、タグは複数存在することを想定している。また、それぞれのタグは識別子を保有しているものとする。【００３２】
ホスト１００は、リーダ装置１１０の制御を行う。リーダ装置１１０は、周波数の異なる２種類の搬送波１３０（第１電波の一例）、搬送波１３１（第２電波の一例）を送信する。搬送波１３０の周波数はｆ０、搬送波１３１の周波数はｆ１である（ｆ０≠ｆ１）。タグ１２０は、リーダ装置１１０の送信する搬送波１３０、１３１の合成波を受信して動作電力を生成する。また、タグ１２０は、リーダ装置１１０に応答１４０を送信する。【００３３】
次に、図２を用いて動作を説明する。図２は、タグの有する識別子を収集する動作のシーケンスを示す。
（１）ホスト１００は、リーダ装置１１０に対して、リーダ装置１１０の周辺に存在するタグ１２０を探し出し、その識別子を収集するよう要求する（Ｓ１０１）。
（２）リーダ装置１１０は、その要求を受けると、タグ１２０を探すため問い合わせを発行する（Ｓ１０５）。しかし、この発行に先立ち、タグ１２０に蓄電させる（蓄電を行う期間：Ｓ１０２〜Ｓ１０４）。このため、リーダ装置１１０は、タグ１２０へ電力を供給するために、相異なる周波数の複数の搬送波１３０、１３１を同時に出力する（Ｓ１０２、Ｓ１０３）。
（３）タグ１２０は、搬送波１３０、１３１の合成された電波（合成波）を受信し、受信した合成波を整流する。これにより、タグ１２０は、内部回路の動作に必要な電力を得る（Ｓ１０４）。
（４）蓄電を行う期間（Ｓ１０２〜Ｓ１０４）の後、リーダ装置１１０は、問い合わせ要求のデータを送信する（Ｓ１０５）。
（５）タグ１２０は、問合わせデータの要求を受信して問合わせデータを解釈し、識別子の要求であることを判別する（Ｓ１０６）。
（６）さらにリーダ装置１１０は、搬送波１３０，１３１を送信する（Ｓ１０７）。
（７）そして、タグ１２０は、受信した搬送波に対して、送信すべきデータをもとにアンテナのインピーダンスを制御して反射による変調を行って、タグ１２０の識別子をデータとして送信する（応答１４０に相当）（Ｓ１０８、Ｓ１０９）。
（８）リーダ装置１１０は、タグ１２０が送信する応答１４０を受信すると、それを復調してタグ１２０が送信したデータを抽出する（Ｓ１１０）。
（９）得られたデータは、リーダ装置１１０からホスト１００に転送される（Ｓ１１１、Ｓ１１２）。
（１０）このようにして、リーダ装置１１０とタグ１２０間の無線データ通信が行われ、その結果得られたタグ１２０の識別子をホスト１００が収集することができる。【００３４】
次に、図３〜５を用いて、搬送波１３０、１３１の合成について説明する。図３は、搬送波１３０の波形２００を示す図である。図４は、搬送波１３１の波形２０１を示す図である。図５は、波形２００と波形２０１の合成した波形を示す図である。【００３５】
リーダ装置１１０の周辺のある地点において、周波数ｆ０の搬送波１３０の振幅が１である場合、搬送波１３０の波形は図３の波形２００のように示される。同様に、上記地点において、周波数ｆ１の搬送波１３１の振幅が１である場合、搬送波１３１の波形は図４の波形２０１のように示される。この場合、上記地点での搬送波１３０、１３１を合成した波形は、合成波形２１０のように示される。図５に示すように、合成した合成波形２１０は、周期Ｔで振幅の大小を繰り返す。そして、その最大振幅は、もとの搬送波の波形２００、２０１の振幅の和になることがわかる。この場合、振幅の和は「２」となる。これは、リーダ装置１１０の周辺の任意の地点について成立する。このことは、同一周波数の搬送波を合成した場合には、最大振幅が搬送波の和になる地点と常にゼロになる地点がある（干渉縞ができる）ことに比較して、地点依存性がないという点で優位である。【００３６】
次に、図６を用いて、リーダ装置１１０における各搬送波１３０、１３１の出力電力について説明する。図６は、各搬送波１３０、１３１の出力電力を説明する図である。図６において、搬送波１３０は、周波数スペクトラム２２０（無変調時）を示す。搬送波１３１は、周波数スペクトラム２２１（無変調時）を示す。また、図には、例えば法令等で規定される出力電力上限２３０（値Ｐ）を示している。従来の無線データ通信システムにおいては、リーダ装置１１０から単一の搬送波（例えば搬送波１３０のみ）を送信することにより、タグ１２０の動作に必要な電力を供給していた。搬送波１３０のみを送信する場合は、周波数スペクトラム２２０のみとなる。一方、本実施の形態１による無線通信システム１０００では、リーダ装置１１０は、周波数の相異なる複数の搬送波１３０、１３１を送信することにより、タグ１２０の動作に必要な電力を供給する。この場合、周波数スペクトラムは、周波数スペクトラム２２０と周波数スペクトラム２２１になる。【００３７】
例えば、各搬送波による出力電力は、法律等で規定される出力電力上限２３０の値Ｐよりも小さくなければならないとする。その場合、無線通信システム１０００では、各搬送波１３０、１３１の出力電力を従来の無線データ通信システムにおける搬送波１３０と同等に保ちながら、それらを合成することにより図５に示す合成波形２１０のように、振幅を増大させることが可能である。【００３８】
以上のように、リーダ装置１１０から相異なる周波数の複数の搬送波１３０，１３１を同時に送信することにより、リーダ装置１１０からの各搬送波の出力電力を一定以下に保ちながら、リーダ装置１１０装置周辺の任意の地点における電波の最大振幅を増大させることができる。これにより、タグ１２０は、最大振幅の増大した合成波を受信することにより、整流して得られる直流電力を増大させることができる。従って、リーダ装置１１０とタグ１２０との通信距離を増大させることができる。【００３９】
以上では、１つのリーダ装置１１０から異なる周波数の搬送波１３０、１３１を送信し、その搬送波１３０、１３１の合成波をタグ１２０が受信して電力を生成する場合を説明した。しかし、リーダ装置の送信する複数の電波の数、及び電波の周波数は自由に選択できるものとする。例えば、リーダ装置１１０が同じ周波数の搬送波を送信しても構わない。ただし、この場合は前記のように、搬送波の和が常にゼロになる地点が存在することになる。また、例えば、リーダ装置１１０が４つの電波を送信するとする。その場合、リーダ装置１１０は周波数ｆ０の搬送波を２つ送信し、周波数ｆ１の搬送波を２つ送信するシステムでもよい。あるいは、周波数ｆ０の搬送波を３つ送信し、周波数ｆ１の搬送波を１つ送信するシステムでもよい。タグ１２０が、リーダ装置１１０の送信した複数の搬送波の合成波を受信し、受信した合成波から電力を生成するシステムであればよい。このように、リーダ装置の送信する電波の数及びその周波数は、自由に選択することができるものとする。【００４０】
実施の形態１の無線通信システムは、リーダ装置が複数の搬送波を送信する。そして、タグが複数の搬送波の合成波を受信し、受信した合成波に基づいて電力を生成する。これにより、搬送波単独の最大振幅よりも合成波の最大振幅が大きくなるので、タグは、搬送波単独で電力を生成する場合に比べ大きな電力を得ることができる。【００４１】
実施の形態１の無線通信システムは、リーダ装置が周波数の異なる複数の搬送波を送信する。そして、タグが周波数の異なる複数の搬送波の合成波を受信し、受信した合成波に基づいて電力を生成する。これにより、搬送波単独の最大振幅よりも合成波の最大振幅が大きくなるので、タグは、搬送波単独で電力を生成する場合に比べ大きな電力を得ることができる。【００４２】
実施の形態１の無線通信システムは、リーダ装置が異なる周波数の２つの電波を送信するので、簡易な構成により、タグの生成する電力を増大させて、リーダ装置とタグとの通信距離を大きくすることができる。【００４３】
実施の形態１のリーダ装置は、タグに複数の搬送波を送信することにより、送信した複数の搬送波が合成された合成波をタグに受信させ、受信させた合成波に基づいて、タグに電力を生成させる。この場合、合成波の最大振幅は単独の搬送波の最大振幅よりも大きくなるので、タグは単独の搬送波を受信する場合に比べて大きな電力を取得できる。【００４４】
実施の形態１のリーダ装置は、タグに送信する複数の電波として、互いに周波数の異なる搬送波を送信する。そして、互いに周波数の異なる搬送波の合成波をタグに受信させ、この合成波で電力を生成させる。この場合、合成波の最大振幅は単独の搬送波の最大振幅よりも大きくなるので、タグは単独の搬送波を受信する場合に比べて大きな電力を取得できる。【００４５】
実施の形態１のリーダ装置は、タグに送信する複数の電波として、周波数ｆ０の搬送波１３０と、周波数ｆ１の搬送波１３１とを送信する。このためタグは搬送波１３０と搬送波１３１の合成波を受信し、受信した合成波に基づいて電力を生成するので、搬送波単独を受信して電力を生成する場合に比べて大きな電力を取得できる。【００４６】
実施の形態２．
次に、図７〜９を用いて、実施の形態２を説明する。実施の形態２では、前述のリーダ装置１１０の具体的な構成を説明する。実施の形態２では、リーダ装置１１０が単一の増幅回路３２０と単一のアンテナ３３０を用いて搬送波１３０、１３１を送信する構成を説明する。なお、後述する実施の形態３では、複数の増幅回路３２１、３２２及び複数のアンテナ３３１，３３２を用いて搬送波１３０、１３１を送信する構成を説明する。【００４７】
図７は、リーダ装置１１０の構成図である。図７を用いてリーダ装置１１０の構成を説明する。リーダ装置１１０は、制御回路３００、発振／変調回路３１０、３１１、増幅回路３２０、アンテナ３３０、復調回路３４０、及びサーキュレータ３５０を備える。【００４８】
制御回路３００は、データの送受信とホスト１００とのデータ転送を制御する。発振／変調回路３１０、３１１は、搬送波１３０、搬送波１３１を発振し変調する。増幅回路３２０は、発振／変調回路３１０、３１１の出力を増幅する。アンテナ３３０は、電波の送受信を行う。復調回路３４０は、アンテナ３３０が受信した応答１４０からデータを抽出する。サーキュレータ３５０は、増幅回路３２０の出力をアンテナ３３０に与える一方、アンテナ３３０からの受信信号を復調回路３４０に与える。【００４９】
図８は、リーダ装置１１０による、タグ１２０を探すための問い合わせの動作を示すフローチャートである。図８を用いて、この動作について説明する。
（１）ホスト１００からの要求を受けると、制御回路３００は、発振／変調回路３１０、３１１の制御を開始する（Ｓ２０１）。
（２）制御回路３００は、まず発振／変調回路３１０、３１１に対して、搬送波１３０、１３１のもととなる信号の生成を指示する（Ｓ２０２）。
（３）すると、発振／変調回路３１０が周波数ｆ０の信号を発振し、同時に発振／変調回路３１１が周波数ｆ１の信号を発振し（Ｓ２０３）、増幅回路３２０がこれらの信号を増幅し（Ｓ２０４）、サーキュレータ３５０がアンテナ３３０に与え（Ｓ２０５）、アンテナ３３０が搬送波１３０、１３１として送信する（Ｓ２０６）。
（４）その結果、搬送波１３０、１３１が合成された電波をタグ１２０が受信して動作する様子は、実施形態１と同様であるので説明を省略する。【００５０】
図９は、リーダ装置１１０がタグ１２０から応答１４０を受信する際の動作を示すフローチャートである。図９を用いて、この動作を説明する。
（１）応答１４０の電波をアンテナ３３０が受信し（Ｓ３０１、Ｓ３０２）、その信号をサーキュレータ３５０が復調回路３４０に与え（Ｓ３０３）、復調回路３４０がデータを抽出する（Ｓ３０４）。
（２）制御回路３００がそのデータをもとに、ホスト１００が要求したタグ１２０の識別子を生成して、ホスト１００に転送する。（Ｓ３０５）【００５１】
以上のように、単一の増幅回路３２０、単一のアンテナ３３０を用いて、相異なる周波数の複数の搬送波１３０，１３１を同時に送信することにより、リーダ装置１１０からの各搬送波出力電力を一定以下に保ちながら、リーダ装置１１０周辺の任意の地点における電波の最大振幅を増大させ、タグ１２０でそれを整流して得られる直流電力を増大させることができる。従ってリーダ装置１１０とタグ１２０との通信距離を増大させることができる。【００５２】
実施の形態３
次に、図１０、図１１を用いて実施の形態３を説明する。図１０は、実施の形態３の無線通信システム２０００の構成図である。また、図１１は、実施の形態３のリーダ装置１１１の構成図である。実施の形態３では、実施の形態１のリーダ装置１１０に対して、リーダ装置１１１の構成が異なる。すなわち、実施の形態１のリーダ装置１１０は単一の増幅回路３２０及び単一のアンテナ３３０とにより搬送波１３０、１３１を送信する。これに対し、実施の形態３のリーダ装置１１１は、２つの増幅回路３２１、３２２及び２つのアンテナ３３１、３３２により搬送波１３０、１３１を送信する。【００５３】
次に、図１１を用いて、複数の増幅回路と複数のアンテナを使って複数の搬送波１３０、１３１を送信する方法について説明する。【００５４】
図１１に示すように、制御回路３００、発振／変調回路３１０、発振／変調回路３１１、復調回路３４０、サーキュレータ３５０は、図７の場合と同様なので説明を省略する。【００５５】
リーダ装置１１１において、増幅回路３２１は、発振／変調回路３１０の出力を増幅する。増幅回路３２２は、発振／変調回路３１１の出力を増幅する。アンテナ３３１は、増幅回路３２１の出力を送信する。アンテナ３３２は、増幅回路３２２の出力を送信する。
【００５６】
以下、リーダ装置１１１からのタグ１２０を探すための問い合わせの動作について説明する。この動作は、図８の動作と類似である。
（１）ホスト１００からの要求をもとに、発振／変調回路３１０が周波数ｆ０の信号を発振し、同時に発振／変調回路３１１が周波数ｆ１の信号を発振するまでは、実施形態２のリーダ装置１１０と同様である。
（２）増幅回路３２１、３２２が各々の信号を増幅する。増幅回路３２１の出力は、サーキュレータ３５０経由でアンテナ３３１に与えられる。また、増幅回路３２２の出力は、直接アンテナ３３２に与えられる。そして、アンテナ３３１が搬送波１３０を送信し、アンテナ３３２が、搬送波１３１を送信する。
（３）その結果、搬送波１３０、１３１が合成された合成波をタグ１２０が受信して動作する様子は、実施形態１と同様であるので説明を省略する。また、タグ１２０からの応答１４０をアンテナ３３１が受信し、サーキュレータ３５０を介して復調回路３４０が復調する場合のリーダ装置１１１の動作は、実施形態２（図９）と同様であるので説明を省略する。【００５７】
以上のように、複数の増幅回路と複数のアンテナとを用いて、相異なる周波数の複数の搬送波を同時に送信することにより、リーダ装置からの各搬送波出力電力を一定以下に保ちながら、リーダ装置周辺の任意の地点における電波の最大振幅を増大させることができる。これにより、タグでは、最大振幅の増大した電波を整流することにより直流電力を増大させることができる。従って、リーダ装置とタグとの通信距離を増大させることができる。また、増幅回路１台あたりの出力を大きくすることなく電波の最大振幅を増大できるので、リーダ装置の価格を低減できる。【００５８】
実施の形態４
次に、図１２、図１３を用いて実施の形態４を説明する。実施の形態４は、複数のリーダ装置を使って複数の搬送波１３０、１３１を送信する無線通信システムである。【００５９】
図１２は、実施の形態４の無線通信システム３０００の構成図である。無線通信システム３０００は、ホスト１００、リーダ装置４０１ａ（第１通信装置の一例）、リーダ装置４０１ｂ（第２通信装置の一例）及びタグ１２０（電力生成装置の一例）とを備える。リーダ装置４０１ａは、搬送波１３０（第１電波の一例）を送信する。また、リーダ装置４０１ｂは、搬送波１３１（第２電波の一例）を送信する。【００６０】
図１３は、リーダ装置４０１ａの構成図である。リーダ装置４０１ｂはリーダ装置４０１ａと同様の構成であるので図示していない。リーダ装置４０１ｂは、図のように、リーダ装置４０１ａは、制御回路３００ａ、発振／変調回路３１０ａ、増幅回路３２０ａ、アンテナ３３０ａ、復調回路３４０ａ、及びサーキュレータ３５０ａを備える。なお、リーダ装置４０１ｂは、図示しないが、制御回路３００ｂ、発振／変調回路３１０ｂ、増幅回路３２０ｂ、アンテナ３３０ｂ、復調回路３４０ｂ、及びサーキュレータ３５０を備える。【００６１】
次に動作について説明する。
（１）ホスト１００は、リーダ装置４０１ａ、４０１ｂに対して、リーダ装置４０１ａ、４０１ｂ周辺に存在するタグ１２０を探し出し、その識別子を収集するよう要求する。
（２）リーダ装置４０１ａ、４０１ｂは、その要求を受けると、タグ１２０を探すため問い合わせを発行するが、その際に相異なる周波数の複数の搬送波１３０、１３１を同時に出力する。【００６２】
以下、リーダ装置４０１ａ、４０１ｂからのタグ１２０を探すための問い合わせの動作について説明する。この動作は、図８のリーダ装置１１０の動作と類似である。
（１）リーダ装置４０１ａは、ホスト１００からの要求を受けると、制御回路３００ａが発振／変調回路３１０ａの制御を開始する。
（２）制御回路３００ａは、まず発振／変調回路３１０ａに対して、搬送波１３０（または１３１）のもととなる信号の生成を指示し、制御回路３００ｂは、発振／変調回路３１０ｂに対して、搬送波１３１のもととなる信号の生成を指示する。
（３）すると、リーダ装置４０１ａの発振／変調回路３１０ａが周波数ｆ０の信号を発振し、増幅回路３２０ａがこの信号を増幅し、サーキュレータ３５０ａがアンテナ３３０ａに与え、アンテナ３３０ａが搬送波１３０として送信する。同時に、リーダ装置４０１ｂの発振／変調回路３１０ｂが周波数ｆ１の信号を発振し、増幅回路３２０ｂがこの信号を増幅し、サーキュレータ３５０ｂがアンテナ３３０ｂに与え、アンテナ３３０ｂが搬送波１３１として送信する。
（４）その結果、リーダ装置４０１ａ、４０１ｂから送信された搬送波１３０、１３１が合成された合成波をタグ１２０が受信する。これ以降の動作、すなわち、タグ１２０が合成波を受信し、タグ１２０からの応答１４０をリーダ装置４０１ａ、４０１ｂが受信する動作は、実施形態１、２と同様であるので説明を省略する。【００６３】
以上のように、複数のリーダ装置を用いて、相異なる周波数の複数の搬送波を同時に送信することにより、リーダ装置からの各搬送波出力電力を一定以下に保ちながら、リーダ装置周辺の任意の地点における電波の最大振幅を増大させることができる。これにより、タグでは最大振幅の増大した電波を整流することにより直流電力を増大させることができる。従って、リーダ装置とタグとの通信距離を増大させることができる。また、リーダ装置１台あたりの出力電力を大きくすることなく電波の最大振幅を増大できるので、無線データ通信システムの価格を低減できる。【００６４】
前記では、２つのリーダ装置４０１ａ，４０１ｂから異なる周波数の搬送波１３０、１３１を送信し、その合成波をタグ１２０が受信して電力を生成した。しかし、リーダ装置は２つに限定するものではなく、台数は問わない。またリーダ装置が送信する電波の周波数も自由に決めてよい。複数のリーダ装置は、それぞれが少なくとも１種類の周波数の電波を送信して構わない。タグ１２０が、複数のリーダ装置の送信した電波が合成された合成波を受信し、受信した合成波に基づいて電力を生成するシステムであればよい。前記のように、複数のリーダ装置の送信する周波数は限定しない。例えば２台のリーダ装置が同じ周波数の搬送波を送信しても構わない。ただし、この場合は、搬送波の和が常にゼロになる地点が存在することになる。また、例えば４台のリーダ装置のうち、２台が周波数ｆ０の搬送波を送信し、残りの２台が周波数ｆ１の搬送波を送信するシステムでもよい。あるいは、３台のリーダ装置が周波数ｆ０の搬送波を送信し、残りの１台が周波数ｆ１の搬送波を送信するシステムでもよい。タグ１２０が合成波を受信し、受信した合成波から電力を生成するシステムであればよい。このように、リーダ装置の台数、及びリーダ装置の送信する電波の周波数は、自由に選択することができるものとする。【００６５】
実施の形態４の無線通信システムでは、それぞれが少なくとも１種類の周波数の電波を送信する複数のリーダ装置と、複数のリーダ装置の送信した電波が合成された合成波を受信し、受信した合成波に基づいて電力を生成する電力生成装置とを備えたことので、これにより単独の電波の最大振幅よりも合成波の最大振幅が大きくなるので、タグは、単独の電波で電力を生成する場合に比べ大きな電力を得ることができる。【００６６】
実施の形態４の無線通信システムでは、複数のリーダ装置のそれぞれは、他のリーダ装置の送信する電波と異なる周波数の電波を送信しても構わない。この場合、タグが周波数の異なる複数の電波の合成波を受信し、受信した合成波に基づいて電力を生成する。これにより、単独の電波の最大振幅よりも合成波の最大振幅が大きくなるので、タグは、単独の電波で電力を生成する場合に比べ、大きな電力を得ることができる。【００６７】
実施の形態４の無線通信システムでは、複数のリーダ装置は、搬送波１３０を送信するリーダ装置と、搬送波１３１を送信するリーダ装置とから構成される。この場合、タグは、周波数の異なる搬送波１３０と搬送波１３１との合成波を受信し、受信した合成波に基づいて電力を生成する。これにより、単独の搬送波の最大振幅よりも合成波の最大振幅が大きくなるので、タグは、単独の搬送波で電力を生成する場合に比べ、大きな電力を得ることができる。【００６８】
実施の形態５
次に、図１４〜図１６を用いて、実施の形態５を説明する。実施の形態５は、前記タグ１２０による電力の生成を説明する。すなわち、タグ１２０が相異なる複数の搬送波の合成波を受信し、受信した合成波から回路の動作電力を得る動作を説明する。【００６９】
図１４は、タグ１２０の構成図である。タグ１２０は、各回路に電源を供給する電源回路４１０、受信した電波からデータを抽出する復調回路４２０、応答１４０にデータをのせる変調回路４３０（変調部の一例）、タグ１２０の識別子（所定のデータ）を記憶するメモリ４４０（データ記憶部の一例）、各回路を制御する制御回路４５０、及び電波の送受信を行うアンテナ４９０を備える。【００７０】
図１５は、電源回路４１０の構成例を示す。電源回路４１０は、アンテナ４９０からの受信信号を入力する信号入力４５５、ダイオード４６０、４６１、コンデンサ４７０、４７１、電源出力４８０（正極）、４８１（負極）を備える。【００７１】
図１６は、タグ１２０が電力を生成する動作のフローチャートである。図１６を用いて電源回路４１０が電力を生成する動作を説明する。実施の形態１の無線通信システム１０００の場合を想定する。実施の形態３の無線通信システム２０００、実施の形態４の無線通信システム３０００の場合も同様である。
（１）リーダ装置１１０は、タグ１２０への問い合わせを発行する際に、まず蓄電を行う期間において、タグ１２０へ電力を供給するために、相異なる周波数の複数の搬送波１３０、１３１を同時に出力する（Ｓ４０１）。この時、例えば、タグ１２０における搬送波１３０、１３１の受信波形成分がそれぞれ図３の波形２００、図４の波形２０１とすると、その合成波形は図５の合成波形２１０のようになる。
（２）タグ１２０は、搬送波１３０、１３１の合成波をアンテナ４９０で受信する（Ｓ４０２）。
（３）アンテナ４９０での受信信号をもとに、電源回路４１０において、整流により直流電力が生成および蓄電され、タグ１２０の各回路の動作電源として使用される（Ｓ４０３）。この時、電源回路４１０が出力する動作電源の電圧がある程度（例えば１ボルト）以上にならない場合は、タグ１２０の各内部回路は動作できない。【００７２】
次に、電源回路４１０動作を説明する。図１５の電源回路４１０では、アンテナ４９０で受信された受信信号（合成波）が信号入力４５５に与えられる。そして、ダイオード４６０、４６１により整流され、それがコンデンサ４７０、４７１において蓄電される。これにより、電源出力４８０、４８１からタグ１２０の内部回路動作のための電源が供給される。【００７３】
以上のように、タグ１２０は合成波を受信し、受信した合成波に基づいて電力を生成する。このタグ１２０の動作は、電力生成方法の形態として実施することもできる。すなわち、受信した電波を使用して電力を生成する電力生成方法において、複数の電波が合成された合成波を受信し、受信した合成波に基づいて電力を生成する電力生成方法として実施することができる。【００７４】
タグ１２０の動作は以上のようである。各回路の動作に必要な電源は、蓄電を行う期間における搬送波１３０、１３１の波形２００、２０１が合成された合成波形２１０から得る。したがって、相異なる周波数の複数の搬送波が合成されることにより、合成波の振幅は搬送波の振幅に比べて増大する。タグでは、合成波を整流して得られる直流電力を増大させることができる。従って、リーダ装置とタグとの通信距離を増大させることができる。【００７５】
また、電源回路におけるダイオードの動作は、一般に入力信号の振幅が大きいほど効率が高い。相異なる周波数の複数の搬送波が合成された合成波は、振幅が搬送波に比べて増大する。このため、合成波を受信することにより、タグは直流電力への変換効率を向上できる。従って、リーダ装置とタグとの通信距離をいっそう増大させることができる。【００７６】
実施の形態５のタグは、複数の電波が合成された合成波を受信し、受信した合成波に基づいて電力を生成する。このため、合成波の最大振幅は単独の電波の最大振幅よりも大きいので、タグは、単独の電波を受信する場合よりもより大きな電力を取得できる。【００７７】
実施の形態５のタグは、周波数の異なる複数の電波が合成された合成波を受信し、受信した周波数の異なる合成波に基づいて電力を生成する。このため、合成波の最大振幅は単独の電波の最大振幅よりも大きいので、タグは、単独の電波を受信する場合よりも大きな電力を取得できる。【００７８】
実施の形態５のタグは、それぞれが周波数の異なる電波を送信する複数のリーダ装置のそれぞれから電波を送信され、複数のリーダ装置のそれぞれから送信された電波が合成された合成波を受信する。そして、タグは、受信した合成波に基づいて電力を生成する。このため、合成波の最大振幅は単独の電波の最大振幅よりも大きいので、タグは、単独の電波を受信する場合よりも大きな電力を取得できる。【００７９】
実施の形態５のタグは、周波数ｆ０の搬送波１３０を送信するリーダ装置と、周波数ｆ１の搬送波１３１を送信するリーダ装置とから搬送波１３０と搬送波１３１とを送信され、送信された搬送波１３０と搬送波１３１とが合成された合成波を受信する。そして、タグは、受信した合成波に基づいて電力を生成する。このため、合成波の最大振幅は単独の電波の最大振幅よりも大きいので、タグは、単独の電波を受信する場合よりも大きな電力を取得できる。【００８０】
実施の形態５のタグは、周波数の異なる複数の電波を送信するリーダ装置から周波数の異なる複数の電波を送信され、送信された複数の電波が合成された合成波を受信する。そして、タグは、受信した合成波に基づいて電力を生成する。このため、合成波の最大振幅は単独の電波の最大振幅よりも大きいので、タグは、単独の電波を受信する場合よりも大きな電力を取得できる。【００８１】
実施の形態５のタグは、周波数ｆ０の搬送波１３０と、周波数ｆ１の搬送波１３１とを送信するリーダ装置から搬送波１３０と搬送波１３１とを送信され、送信された搬送波１３０と搬送波１３１ととが合成された合成波を受信する。そして、タグは、受信した合成波に基づいて電力を生成する。このため、合成波の最大振幅は単独の電波の最大振幅よりも大きいので、タグは、単独の電波を受信する場合よりも大きな電力を取得できる。【００８２】
実施の形態５の電力生成方法によれば、複数の電波が合成された合成波を受信し、受信した合成波に基づいて電力を生成するので、単独の電波を受信する場合よりも大きな電力を取得できる。【００８３】
実施の形態６．
次に、図１７〜図１９を用いて、実施の形態６を説明する。実施の形態６は、タグ１２０が搬送波１３０、１３１の合成波を受信し、受信した合成波をタグ１２０の保有する識別子に対応する変調波形で変調して、リーダ装置１１０に向けて送信する形態である。システムとして、実施の形態１の無線通信システム１０００を想定する。実施の形態３の無線通信システム２０００、実施の形態４の無線通信システム３０００の場合も同様である。タグ１２０は、図１４、図１５に示した構成である。【００８４】
タグ１２０による変調の概要を図２を参照して説明する。
（１）リーダ装置１１０はタグ１２０への蓄電を行う期間の後、制御回路３００の制御のもと、発振／変調回路３１０により搬送波に変調をかけることで、問い合わせ要求を示すデータ（コマンド）を送信する（図２：Ｓ１０５）。タグ１２０では、これをアンテナ４９０で受信し、復調回路４２０でデータを抽出し、制御回路４５０がデータを解釈することにより、識別子の問い合わせ要求であると判別する（Ｓ１０６）。
（２）その後、リーダ装置１１０は、制御回路３００の制御のもと、発振／変調回路３１０、増幅回路３２０、アンテナ３３０、サーキュレータ３５０により搬送波１３０，１３１を送信する。タグ１２０では、搬送波１３０，１３１の合成波をアンテナ４９０で受信する（Ｓ１０７）。
（３）タグ１２０では、メモリ４４０に格納される識別子を制御回路４５０が変調回路４３０に与える。変調回路４３０は、アンテナ４９０のインピーダンスを制御することにより、アンテナ４９０が受信した搬送波（合成波）に変調をかけて送信する（Ｓ１０８）。その結果、アンテナ４９０から応答１４０が送信され、リーダ装置１１０に届く。【００８５】
次に、図１７〜図１９を用いて、タグ１２０による、受信した合成波の変調について説明する。図１７は、タグ１２０が受信する合成波（搬送波１３０、１３１の合成波）の合成波形５００を示す図である。この合成波形５００は、図５に示す合成波形２１０の長時間分に相当し、図５における合成波形振幅の大小の周期Ｔが、図１７の周期Ｔに相当する。図１８は、合成波の合成波形５００に施す変調波形５１０を示す図である。図１９は、合成波形５００を変調波形５１０で変調した応答波形５１１である。この応答波形５１１がタグ１２０から送信される。【００８６】
次に、変調の動作について説明する。
（１）図１４に示すタグ１２０の変調回路４３０は、送信すべきデータ（識別子）に対応した変調波形５１０により、アンテナ４９０のインピーダンスを制御する。
（２）アンテナ４９０のインピーダンスが変化することにより、アンテナ４９０の受信する合成波形５００に対して変調がかる結果、応答波形５１１がアンテナ４９０から送信される（応答波形５１１の振幅は、アンテナ４９０の利得等に依存）。
（３）応答波形５１１は、タグ１２０の応答１４０に相当する。リーダ装置１１０では、応答１４０をアンテナ３３０が受信して、サーキュレータ３５０が復調回路３４０に与え、復調回路３４０がデータを復調し、制御回路３００がタグ１２０の識別子を得る。
（４）復調回路３４０では、応答波形５１１相当から、例えば、搬送波１３０の周波数ｆ０の近傍の周波数成分だけを抽出し、その結果をもとに通常の復調を行ってもよい。ただし、この方法に限定されず、他の復調方法であってもよい。
なお、以上では、メモリ４４０（データ記憶部）が記憶する識別子（所定のデータの一例）に対応する変調波形５１０を用いて合成波を変調した。変調回路４３０が変調するデータ（所定のデータ）はメモリ４４０が記憶するデータに限らない。例えば、変調回路４３０は、受信したセンサー値（所定のデータの一例）に対応する変調波形を用いて合成波を変調して送信しても構わない。
【００８７】
実施の形態６のタグは、リーダ装置が送信する複数の搬送波の合成された合成波を変調し送信する。リーダ装置は、タグの送信した変調された合成波を受信して復調する。これにより、データ転送を行うことができる。さらに、タグは受信した合成波を用いて変調をかけるのでデータ転送に使う電波の振幅も増大できる。従って、リーダ装置とタグとの通信距離を増大させることができる。【００８８】
実施の形態７
次に、図２０〜図２３を用いて、実施の形態７を説明する。実施の形態７は、複数のリーダ装置が複数の搬送波を送信するシステムにおいて、それぞれのリーダ装置が同期することにより、所定のデータをタグ１２０に送信するシステムに関する。【００８９】
図２０は、実施の形態７の無線通信システム４０００の構成図である。無線通信システム４０００は、実施の形態４の無線通信システム３０００に対して、リーダ装置６００ａとリーダ装置６００ｂとが同期をとることが特徴である。図に示すように、無線通信システム４０００は、ホスト１００、リーダ装置６００ａ、６００ｂ、タグ１２０を備える。リーダ装置６００ａ、６００ｂは，同期機能を有する。リーダ装置６００ａからリーダ装置６００ｂには、リーダ装置６００ａ、６００ｂ間の同期を取るための同期信号６１０が送信される。同期の詳細については後述する。【００９０】
図２１は、リーダ装置６００ａとリーダ装置６００ｂの構成例を示す図である。発振／変調回路３１０ａ、増幅回路３２０ａ、アンテナ３３０ａ、復調回路３４０ａ、サーキュレータ３５０ａは、図１３の場合と同様であり説明を省略する。また、発振／変調回路３１０ｂ〜サーキュレータ３５０ｂは、発振／変調回路３１０ａ〜サーキュレータ３５０ａと同様の機能である。制御回路６２０ａ、及び制御回路６２０ｂは同期機能を有する。【００９１】
図２２は、リーダ装置６００ａ、６００ｂからタグ１２０を探すための問い合わせの動作を示すシーケンスである。図２２を用いて、この動作を説明する。
（１）ホスト１００からの要求を受けると（Ｓ５０１、Ｓ５０２）、リーダ装置６００ａの制御回路６２０ａは発振／変調回路３１０ａの制御を開始し（Ｓ５０３）、同様に、リーダ装置６００ｂの制御回路６２０ｂは発振／変調回路３１０ｂの制御を開始する（Ｓ５０４）。
（２）その際、リーダ装置６００ａの制御回路６２０ａは、発振／変調回路３１０ａの動作タイミングを「同期信号６１０」として出力するとともに、発振／制御回路３１０ａのタイミングを制御する（Ｓ５０５、Ｓ５０６）。
（３）一方、リーダ装置６００ｂの制御回路６２０ｂは、「同期信号６１０」を入力し、入力した「同期信号６１０」をもとに、発振／変調回路３１０ｂの動作タイミングを制御する（Ｓ５０７）。これにより、リーダ装置６００ａの発振／変調回路３１０ａと、リーダ装置６００ｂの発振／変調回路３１０ｂとは、同期して動作する。【００９２】
このようにして、リーダ装置６００ａ、６００ｂは、搬送波１３０、１３１を同期させて出力する。この同期により、例えば、蓄電を行う期間からデータ送信を行う期間への状態遷移において、電波の混信を避けるために、搬送波１３１の出力を停止し、搬送波１３０のみでデータ転送を行うことができる。すなわち、搬送波１３１の停止タイミングと、搬送波１３０によるデータ送信開始タイミングの同期を取ることで変調された搬送波１３０のみを送信し、混信なくデータをタグ１２０に送信することが可能になる。これについては図２３を用いてさらに詳しく説明する。【００９３】
図２３は、リーダ装置６００ａ、６００ｂの動作状態を同期させることにより、搬送波１３１の出力を停止し、搬送波１３０のみでデータ転送を行う場合を説明する図である。横軸方向は時間の経過を示す。【００９４】
図２３では、まず、システムの動作状態として、初期蓄電状態７００〜応答受信状態７０５を示している。すなわち、タグ１２０への初期蓄電状態７００、タグ１２０へのコマンド送信状態７０１、タグ１２０への再蓄電状態７０２、タグ１２０からの応答１４０を受信する応答受信状態７０３、タグ１２０への再蓄電状態７０４、タグ１２０からの応答１４０を受信する応答受信状態７０５を示している。初期蓄電状態７００、再蓄電状態７０２、７０４が、タグ１２０へ電力を供給するステップに相当する。コマンド送信状態７０１が、タグ１２０へデータ送信を行うステップに相当する。【００９５】
また、コードＡ７１０〜コードＤ７１５は、同期信号６１０のコード変化を示している。すなわち、動作状態の変化に対応して、同期信号６１０のコードが、初期蓄電状態７００を示すコードＡ７１０、コマンド送信状態７０１を示すコードＢ７１１、再蓄電状態７０２を示すコードＣ７１２、応答受信状態７０３を示すコードＤ７１３、再蓄電状態７０４を示すコードＣ７１４、応答受信状態７０５を示すコードＤ７１５と変化する。【００９６】
また、無変調送信７２０〜無変調送信／データ受信７２５は、リーダ装置６００ａの動作の時間的遷移を示す。無変調送信７２０、無変調送信７２２、無変調送信７２４では、リーダ装置６００ａは、タグ１２０での蓄電のために搬送波を変調せず送信する。変調送信７２１では、リーダ装置６００ａは、コマンド送信のために搬送波１３０を変調する。無変調送信／データ受信７２３、７２５では、リーダ装置６００ａは、タグ１２０がデータ送信するために必要な搬送波を供給し、タグ１２０からのデータを受信する。【００９７】
無変調送信７３０〜無変調送信７３５は、リーダ装置６００ｂの動作の時間的遷移を示す。無変調送信７３０、無変調送信７３２、無変調送信７３４では、リーダ装置６００ｂは、タグ１２０での蓄電のために、搬送波１３１を変調せず送信する。送信停止７３１では、リーダ装置６００ｂは、リーダ装置６００ａからのコマンド送信との混信を避けるために、搬送波１３１の出力を止める。無変調送信７３３、無変調送信７３５では、リーダ装置６００ｂは、タグ１２０がデータ送信するために必要な搬送波を供給する。【００９８】
図２３を参照して動作を説明する。まず、初期蓄電状態７００においては、リーダ装置６００ａでは、制御回路６２０ａが発振／変調回路３１０ａを制御することにより、周波数ｆ０の搬送波１３０を無変調で出力する（無変調送信７２０）。同時にリーダ装置６００ａの制御回路６２０ａから同期信号６１０としてコードＡ７１０を出力する。リーダ装置６００ｂでは、制御回路６２０ｂが同期信号６１０としてコードＡ７１０を入力する。制御回路６２０ｂは、コードＡ７１０を入力すると、発振／変調回路３１０ｂを制御することにより、周波数ｆ１の搬送波１３１を無変調で出力する（無変調送信７３０）。【００９９】
次に、コマンド送信状態７０１に移ると、リーダ装置６００ａでは、制御回路６２０ａが発振／変調回路３１０ａを制御することにより、出力すべきコマンドでデータ変調をかけた搬送波１３０を出力する（変調送信７２１）。同時にリーダ装置６００ａの制御回路６２０ａは、同期信号６１０としてコードＢ７１１を出力する。リーダ装置６００ｂでは、制御回路６２０ｂが同期信号６１０としてコードＢ７１１を入力する。制御回路６２０ｂはコードＢ７１１を入力すると、発振／変調回路３１０ｂを制御することにより、搬送波１３１の出力を停止する（送信停止７３１）。【０１００】
以下同様に、再蓄電状態７０２に移ると、リーダ装置６００ａでは、搬送波１３０を無変調で出力し（無変調送信７２２）、同期信号６１０としてコードＣ７１２を出力する。リーダ装置６００ｂでは、同期信号６１０としてコードＣ７１２を入力し、搬送波１３１を無変調で出力する（無変調送信７３２）。【０１０１】
次に、応答受信状態７０３に移ると、リーダ装置６００ａでは、搬送波１３０を無変調で出力するとともに、タグ１２０からの応答１４０を受信し（無変調送信／データ受信７２３）、同期信号６１０としてコードＤ７１３を出力する。リーダ装置６００ｂでは、同期信号６１０としてコードＤ７１３を入力し、搬送波１３１を無変調で出力する（無変調送信７３３）。【０１０２】
次に、再蓄電状態７０４に移った際の動作は、上記再蓄電状態７０２と同様である（ただし、コードＣ７１４、無変調送信７２４、無変調送信７３４である）。また、応答受信状態７０５に移った際の動作は、上記応答受信状態７０３と同様である（ただし、コードＤ７１５、無変調送信／データ受信７２５、無変調送信７３５である）。【０１０３】
以上のように、複数のリーダ装置を同期させて動作させることにより、複数の搬送波出力を同期させて変化させることができる。このため、動作状態の時間的遷移におけるタイミング精度を向上できる。また、あるリーダ装置がコマンド送信中には、他のリーダ装置を送信停止とすることにより、タグへのデータ送信における混信を防止することができる。【０１０４】
実施の形態８
次に、図２４〜図２６を用いて、実施の形態８を説明する。実施の形態８は、リーダ装置６００ａ、６００ｂが、それぞれ搬送波１３０、１３１を用いてデータ送信する実施形態に関する。システム構成は、実施の形態７の無線通信システム４０００と同様である。ただし、実施の形態７では、データ送信の場合、リーダ装置６００ｂが停止していた。これに対して実施の形態８では、データ送信において、リーダ装置６００ａ、６００ｂの両者がそれぞれ搬送波１３０、１３１を用いてデータ送信することが特徴である。【０１０５】
実施形態７では、リーダ装置６００ａからタグ１２０へのコマンドを送信するコマンド送信状態７０１を除く動作状態において、相異なる周波数の搬送波１３０、１３１を同時に送信する形態について説明した。言い換えれば、リーダ装置６００ａからタグ１２０へのコマンドを送信する場合は、リーダ装置６００ｂによる搬送波１３１の送信を停止していた（送信停止状態７３１）。しかし、データ送信ステップとしてのコマンド送信状態７０１においても、相異なる周波数の搬送波１３０、１３１を同時に送信することができれば、タグ１２０で得られる電源電力をいっそう増大することができる。このため本実施の形態８では、コマンド送信状態７０１において相異なる周波数の変調された搬送波１３０、１３１を同時に送信し、タグ１２０は、変調された搬送波１３０、１３１の合成波を受信して、受信した合成波から電力を生成する場合を説明する。【０１０６】
以下、図２４〜図２６を用いて、図２３に示したコマンド送信状態７０１において、リーダ装置６００ａ、６００ｂが、それぞれ搬送波１３０、１３１を用いてデータ送信する場合の動作を説明する。図２４は、搬送波１３０、１３１に変調を施す変調波形５２０を示す図である。図２５は、変調波形５２０で変調された搬送波１３０と、変調波形５２０で変調された搬送波１３１とが合成された合成波の合成波形５２１を示す図である。図２６は、リーダ装置６００ａ、６００ｂが、それぞれ搬送波１３０、１３１を用いてデータ送信する場合の動作を説明するフローチャートである。【０１０７】
図２６を用いて動作を説明する。ホスト１００からの要求を受けると、リーダ装置６００ａ、６００ｂは，初期蓄電状態７００までは実施形態７と同様に動作する。続くコマンド送信状態７０１において、リーダ装置６００ａ、６００ｂは，同期してデータを送信する。この時、リーダ装置６００ａは、リーダ装置６００ｂに対して、同期信号６１０として、動作状態を示すコードＢ７１１に加えて、送信データ（コマンド等）に対応する変調波形５２０を送信する。
（１）リーダ装置６００ａでは、制御回路６２０ａが発振／変調回路３１０ａを制御することにより、発振／変調回路３１０ａに変調波形５２０を用いて搬送波１３０を変調させ、データ送信を行う。その際、リーダ装置６００ａの制御回路６２０ａは、上記変調波形５２０を同期信号６１０として出力する（Ｓ６０１，Ｓ６０２）。
（２）一方、リーダ装置６００ｂは、制御回路６２０ｂが同期信号６１０として変調波形５２０を入力する。制御回路６２０ｂは、入力した変調波形５２０をもとに発振／変調回路３１０ｂに搬送波１３１を変調させデータ送信を行う（Ｓ６０３）。
（３）以上により、リーダ装置６００ａ、６００ｂは変調された搬送波１３０，１３１を送信する（Ｓ６０４）。
（４）搬送波１３０、１３１は、変調波形５２０に基づき同期して変調された結果、これらの合成波形は、合成波形５２１となる（Ｓ６０５）。タグ１２０は、この合成波を受信して、受信した合成波を使用して電力を生成する。また、タグ１２０は、この合成波を受信して復調回路４２０により送信データ（コマンド等）を復調する。【０１０８】
以上のようにして、リーダ装置は、送信する複数の搬送波を同期させて変調することにより、リーダ装置からタグへのデータ送信を行うことができる。また、タグがその期間に受信する電波の振幅も増大できるので、リーダ装置とタグとの通信距離を増大させることができる。さらに、タグは振幅の増大した合成波を受信し、受信した合成波を整流して電力を得るので、取得する電力を増大させることができる。従って、リーダ装置とタグとの通信距離を増大させることができる。【０１０９】
以上の実施の形態７、実施の形態８では、図２０に示す無線通信システム４０００の構成において、リーダ装置６００ａ、リーダ装置６００ｂが互いに同期する場合を説明した。すなわち、複数のリーダ装置が同期する場合を説明した。これに対して、単一のリーダ装置が搬送波１３０、１３１の送信の同期をとっても構わない。単一のリーダ装置が同期をとる場合も、複数のリーダ装置の場合と同様の効果を得ることができる。【０１１０】
例えば、実施の形態７では、リーダ装置６００ａがデータ送信する場合は、同期をとることにより、リーダ装置６００ｂは搬送波１３１の送信を停止した。単一のリーダ装置の場合も、実施の形態７と同様に搬送波１３１の送信を停止することができる。すなわち、図７のリーダ装置１１０や図１１に示すリーダ装置１１１において、それぞれの制御回路３００が、発振／変調回路３１０による搬送波１３０の送信と、発振／変調回路３１１による搬送波１３１の送信との同期をとる制御を行う。この制御回路３００による同期をとる制御により、発振／変調回路３１１の送信を停止し、発振／変調回路３１０からのみデータ送信を行うことで、単一のリーダ装置により、実施の形態７と同様のシステムとすることができる。【０１１１】
また、同様にして、単一のリーダ装置により、実施の形態８と同様に、搬送波１３０，１３１の両者によりデータ送信を行うことができる。すなわち、図７のリーダ装置１１０や図１１に示すリーダ装置１１１において、それぞれの制御回路３００が、発振／変調回路３１０による搬送波１３０の送信と、発振／変調回路３１１による搬送波１３１の送信との同期をとる制御を行う。それぞれの制御回路３００は、発振／変調回路３１０と発振／変調回路３１１とに、変調波形５２０を用いて搬送波１３０と搬送波１３１とを同期して変調させる。制御回路３００による同期した変調の制御により、搬送波１３０，１３１の両者によりデータ送信を行うことができる。よって、単一のリーダ装置により、実施の形態８と同様のシステムとすることができる。【０１１２】
なお、以上の実施形態では、タグでの蓄電状態を設ける場合について説明したが、これに限定されず、蓄電状態を備えずデータ送信と並行して動作電力を得る方法であってもよい。【０１１３】
また、再蓄電状態において複数の搬送波による無変調送信を行う例について説明したが、これには限定されず、例えば単一の搬送波のみを送信するようにしてもよい。【０１１４】
また、タグ応答受信状態において複数の搬送波による無変調送信を行う例について説明したが、これには限定されず、例えば単一の搬送波のみを送信するようにしてもよい。【０１１５】
また、振幅を拡大して通信距離を増大させる目的で複数の搬送波を合成したが、振幅は拡大させることなく、代わりにリーダ装置の出力を低下させて安価にしてもよい。【０１１６】
また、タグへ動作電源を供給するため、および、タグがデータを送信するために必要な、リーダ装置が送信する搬送波は、変調されていてもされていなくてもよい。【０１１７】
また、リーダ装置がデータ送信に使う搬送波の変調方法は限定されず、例えば振幅変調、周波数変調等でもよく、あるいは複数の搬送波を用いて変調してもよい。また、タグがデータ送信に使う搬送波の変調方法も限定されない。【０１１８】
また、複数の搬送波の同期方法は上記に限定されず、他の方法であってもよい。例えば、同期信号は有線であってもよく、無線であってもよい。【０１１９】
また、ネットワーク経由でリーダ装置間を同期してもよく、ＧＰＳ（Ｇｌｏｂａｌ  Ｐｏｓｉｔｉｏｎｉｎｇ  Ｓｙｓｔｅｍ）や電波時計等をもとに同期してもよく、リーダ装置内部の時計をあわせそれをもとに同期する等してもよい。【０１２０】
また、通信装置やタグの構成は上記に限定されず、他の構成であってもよい。例えば、リーダ装置において送信用アンテナと受信用アンテナが別の構成や、送信装置と受信装置が別の構成等であってもよい。【０１２１】
また、リーダ装置にタグへのデータ書き込み機能やデータの消去機能を備える等してもよい。【０１２２】
また、タグには識別子以外のデータを転送する機能を備える等してもよい。【０１２３】
また、無線通信システムの構成は上記に限定されず、ホスト、リーダ装置、タグの数は任意の組合せであってよい。また、ホストとリーダ装置の接続は任意の方法でよく、例えば専用線であってもよく、無線または有線ネットワーク等でもよい。【０１２４】
また、ホストは必須ではなく、例えばホスト相当の機能がリーダ装置に内蔵されてもよい。【０１２５】
また、タグを用いた無線ＩＤシステムに限定されず、非接触ＩＣカードシステム等の他の構成であってもよい。【０１２６】
上記実施の形態の無線通信システムにでは、電波を送信して応答器（タグ）に電力を供給する機能と応答器（タグ）からのデータを受信する機能を備える質問器（リーダ装置）と、質問器（リーダ装置）から受信した電波から電力を得てデータを送信する応答器（タグ）とからなる無線通信システムにおいて、相異なる周波数の複数の搬送波を同時に送信することにより応答器（タグ）に電力を供給することを特徴とする。【０１２７】
上記実施の形態の無線通信システムでは、質問器（リーダ装置）は、搬送波を増幅する単一の増幅器と、搬送波を送信する単一のアンテナを用いて複数の搬送波を送信することを特徴とする。【０１２８】
上記実施の形態の無線通信システムでは、質問器（リーダ装置）は、搬送波を増幅する複数の増幅器を用いて複数の搬送波を送信することを特徴とする。【０１２９】
上記実施の形態の無線通信システムでは、質問器（リーダ装置）は、搬送波を送信する複数のアンテナを用いて複数の搬送波を送信することを特徴とする。【０１３０】
上記実施の形態の無線通信システムでは、複数の質問器（リーダ装置）を用いて複数の搬送波を送信することを特徴とする。【０１３１】
上記実施の形態の無線通信システムでは、応答器（タグ）は、質問器（リーダ装置）が送信する複数の搬送波の合成波から回路の動作電力を得ることを特徴とする。【０１３２】
上記実施の形態の無線通信システムでは、応答器（タグ）は、質問器（リーダ装置）が送信する複数の搬送波を変調し、この変調した搬送波を質問器（リーダ装置）が復調することにより、データ通信を行うことを特徴とする。【０１３３】
上記実施の形態の無線通信システムでは、質問器（リーダ装置）が送信する複数の搬送波を同期させて変化させる機能を有することを特徴とする。【０１３４】
上記実施の形態の無線通信システムでは、質問器（リーダ装置）から応答器（タグ）に対して電力を供給するステップと、質問器（リーダ装置）から応答器（タグ）へデータ送信を行うステップとを備え、電力を供給するステップにおいては複数の搬送波により応答器（タグ）に電力を供給し、データ送信を行うステップにおいては複数の搬送波の内のひとつの搬送波を変調することによりデータ通信を行い、その他の搬送波はデータ送信を行うステップに移るのに同期して停止することを特徴とする。【０１３５】
上記実施の形態の無線通信システムでは、上記質問器（リーダ装置）から応答器（タグ）に対して電力を供給するステップと、質問器（リーダ装置）から応答器（タグ）へデータ送信を行うステップとを備え、
電力を供給するステップにおいては複数の搬送波により応答器に電力を供給し、データ送信を行うステップにおいては複数の搬送波を同期させて変調することによりデータ送信を行うことを特徴とする。【０１３６】
上記実施の形態の無線データ通信方法は、電波を送信して応答器（タグ）に電力を供給する機能と応答器（タグ）からのデータを受信する機能を備える質問器（リーダ装置）と、質問器（リーダ装置）から受信した電波から電力を得てデータを送信する応答器（タグ）からなる無線通信システムにおいて、相異なる周波数の複数の搬送波を同時に送信することにより応答器（タグ）に電力を供給することを特徴とする。
【図面の簡単な説明】
【０１３７】
【図１】実施の形態１における無線通信システム１０００の構成図である。
【図２】実施の形態１における識別子の収集のシーケンスを示す。
【図３】実施の形態１における搬送波１３０の波形２００を示す図である。
【図４】実施の形態１における搬送波１３１の波形２０１を示す図である。
【図５】実施の形態１における波形２００と波形２０１の合成波形２１０を示す図である。
【図６】実施の形態１におけるリーダ装置１１０による搬送波１３０、１３１の出力電力を説明する図である。
【図７】実施の形態２におけるリーダ装置１１０の構成図である。
【図８】実施の形態２におけるリーダ装置１１０の動作を示すフローチャートである。
【図９】実施の形態２におけるリーダ装置１１０の動作を示すフローチャートである。
【図１０】実施の形態３における無線通信システム２０００の構成図である。
【図１１】実施の形態３におけるリーダ装置１１１の構成図である。
【図１２】実施の形態４における無線通信システム３０００の構成図である。
【図１３】実施の形態４におけるリーダ装置４０１ａの構成図である。
【図１４】実施の形態５におけるタグ１２０の構成図である。
【図１５】実施の形態５におけるタグ１２０の電源回路４１０の構成例を示す図である。
【図１６】実施の形態５におけるタグ１２０の動作を示すフローチャートである。
【図１７】実施の形態６における合成波形５００を示す図である。
【図１８】実施の形態６における変調波形５１０を示す図である。
【図１９】実施の形態６における応答波形５１１を示す図である。
【図２０】実施の形態７における無線通信システム４０００の構成図である。
【図２１】実施の形態７におけるリーダ装置６００ａとリーダ装置６００ｂとの同期を説明する図である。実施の形態７における
【図２２】実施の形態７における無線通信システム４０００の動作を示すシーケンス図である。
【図２３】実施の形態７におけるリーダ装置６００ａ、６００ｂの動作状態の同期を説明する図である。
【図２４】実施の形態８における変調波形５２０を示す図である。
【図２５】実施の形態８における合成波形５２１を示す図である。
【図２６】実施の形態８におけるリーダ装置６００ａ、６００ｂの動作のシーケンスを示す図である。
【符号の説明】
【０１３８】
１００  ホスト、１１０，１１１  リーダ装置、１２０  タグ、１３０  搬送波、１３１  搬送波、１４０  応答、２００  搬送波１３０の波形、２０１  搬送波１３１の波形、２１０  合成波形、２２０  周波数スペクトラム、２２１  周波数スペクトラム、２３０  出力電力上限、３００，３００ａ  制御回路、３１０，３１０ａ，３１０ｂ  発振／変調回路、３１１  発振／変調回路、３２０，３２０ａ，３２０ｂ  増幅回路、３２１，３２２  増幅回路、３３０，３３０ａ，３３０ｂ，３３１，３３２  アンテナ、３４０，３４０ａ，３４０ｂ  復調回路、３５０，３５０ａ，３５０ｂ  サーキュレータ、４０１ａ，４０１ｂ  リーダ装置、４１０  電源回路、４２０  復調回路、４３０  変調回路、４４０  メモリ、４５０  制御回路、４５５  信号入力、４６０，４６１  ダイオード、４７０，４７１  コンデンサ、４８０，４８１  電源出力、４９０  アンテナ、５００  合成波形、５１０  変調波形、５１１  応答波形、５２０  変調波形、５２１  合成波形、６００ａ，６００ｂ  リーダ装置、６１０  同期信号、６２０ａ，６２０ｂ  制御回路、７００  初期蓄電状態、７０１  コマンド送信状態、７０２  再蓄電状態、７０３  応答受信状態、７０４  再蓄電状態、７０５  応答受信状態、７１０  コードＡ、７１１  コードＢ、７１２  コードＣ、７１３  コードＤ、７１４  コードＣ、７１５  コードＤ、７２０  無変調送信、７２１  変調送信、７２２  無変調送信、７２３  無変調送信／データ受信、７２４  無変調送信、７２５  無変調送信／データ受信、７３０  無変調送信、７３１  送信停止、７３２，７３３，７３４，７３５  無変調送信、１０００，２０００，３０００，４０００  無線通信システム。
【図１】
0004271237.tif 000002
【図２】
0004271237.tif 000003
【図３】
0004271237.tif 000004
【図４】
0004271237.tif 000005
【図５】
0004271237.tif 000006
【図６】
0004271237.tif 000007
【図７】
0004271237.tif 000008
【図８】
0004271237.tif 000009
【図９】
0004271237.tif 000010
【図１０】
0004271237.tif 000011
【図１１】
0004271237.tif 000012
【図１２】
0004271237.tif 000013
【図１４】
0004271237.tif 000014
【図１５】
0004271237.tif 000015
【図２０】
0004271237.tif 000016
【図２１】
0004271237.tif 000017
【図２２】
0004271237.tif 000018
【図２３】
0004271237.tif 000019
【図２４】
0004271237.tif 000020
【図２５】
0004271237.tif 000021
【図１３】
0004271237.tif 000022
【図１６】
0004271237.tif 000023
【図１７】
0004271237.tif 000024
【図１８】
0004271237.tif 000025
【図１９】
0004271237.tif 000026
【図２６】
0004271237.tif 000027